(57)【要約】【課題】車線規制を極力少なくして壁高欄コンクリートの解体を可能とする。【解決手段】橋梁１下方の地上に、無水式ワイヤーソー２１と集塵装置２２を搭載した高所作業ステージ１６が多段式伸縮ブーム１４の先端に備えられる壁高欄コンクリート切断用クレーン車１１を配置する。次に、多段式伸縮ブーム１４を伸ばして高所作業ステージ１６を壁高欄コンクリート３の外側に近接させて固定する。次に、高所作業ステージ１６に搭載した無水式ワイヤーソー２１により壁高欄コンクリート３を床版２に沿って水平切断及び垂直切断するとともに、その切断で発生する粉塵を、高所作業ステージ１６に搭載した集塵装置２２により集塵する。また、無水式ワイヤーソー２１により床版２から切断される壁高欄コンクリート３を、壁高欄コンクリート切断用クレーン車１１とは別に橋梁１下方の地上に配置したクレーン車により吊り上げて回収する。【選択図】図１
2018066227.tif 000002
【特許請求の範囲】
【請求項１】
無水式ワイヤーソーと集塵装置を搭載した高所作業ステージが多段式伸縮ブームの先端に備えられる高所コンクリート構造物切断用クレーン車を用いて高所コンクリート構造物を解体する方法であって、
前記橋梁下方の地上に前記高所コンクリート構造物切断用クレーン車を配置し、
前記多段式伸縮ブームを伸ばして前記高所作業ステージを前記高所コンクリート構造物の外側に近接させて固定し、
前記高所作業ステージに搭載した前記無水式ワイヤーソーにより前記高所コンクリート構造物を水平切断及び垂直切断するとともに、その切断で発生する粉塵を、前記高所作業ステージに搭載した前記集塵装置により集塵することを特徴とする高所コンクリート構造物の解体方法。
【請求項２】
無水式ワイヤーソーと集塵装置を搭載した高所作業ステージが多段式伸縮ブームの先端に備えられる壁高欄コンクリート切断用クレーン車を用いて橋梁の壁高欄コンクリートを解体する方法であって、
前記橋梁下方の地上に前記壁高欄コンクリート切断用クレーン車を配置し、
前記多段式伸縮ブームを伸ばして前記高所作業ステージを前記壁高欄コンクリートの外側に近接させて固定し、
前記高所作業ステージに搭載した前記無水式ワイヤーソーにより前記壁高欄コンクリートを床版に沿って水平切断及び垂直切断するとともに、その切断で発生する粉塵を、前記高所作業ステージに搭載した前記集塵装置により集塵することを特徴とする壁高欄コンクリートの解体方法。
【請求項３】
前記無水式ワイヤーソーにより前記床版から切断される前記壁高欄コンクリートを、前記壁高欄コンクリート切断用クレーン車とは別に前記橋梁下方の地上に配置したクレーン車により吊り上げて回収することを特徴とする請求項２に記載の壁高欄コンクリートの解体方法。
【請求項４】
前記高所作業ステージの周囲は防音・防塵カバーで覆われていることを特徴とする請求項２または３に記載の壁高欄コンクリートの解体方法。
【発明の詳細な説明】
【技術分野】
【０００１】
本発明は、高所コンクリート構造物の解体方法と、壁高欄コンクリートの解体方法に関する。
【背景技術】
【０００２】
特許文献１において、足場の施工が簡単で施工が簡便に行える壁高欄の工事方法、及びその工事方法に使用する自走式足場車が提案されている。
これは、伸縮、傾動及び旋回が可能なアーム、及びその先部に取り付けられたゴンドラ足場を備えた自走式足場車を、工事を行う高架道路に、ゴンドラ足場が高架道路の側端から突出した状態で配備する。そして、ゴンドラ足場に作業者が乗り、必要に応じて自走式足場車を走行させて高架道路の壁高欄の工事を行うものである。
【先行技術文献】
【特許文献】
【０００３】
【特許文献１】特開平８−６０８５３号公報
【発明の概要】
【発明が解決しようとする課題】
【０００４】
しかし、通行車両の大型化・経年劣化等による損傷等のために橋梁床版及び壁高欄コンクリートの取り換え工事が必要となる。
その際、壁高欄コンクリートの解体に、例えば特許文献１のように伸縮、傾動及び旋回が可能なアーム、及びその先部に取り付けられたゴンドラ足場を備えた特殊な自走式足場車を用いるのはコストが高くなってしまう。
また、特許文献１のような特殊な自走式足場車が走行車線を占領するのは好ましくなく、車線規制を極力少なくして壁高欄コンクリートの解体を行うことが望ましい。
【０００５】
本発明の課題は、車線規制を極力少なくして壁高欄コンクリートの解体を可能とすることである。
また、本発明は、搭状構造物等の高所コンクリート構造物の解体を可能とすることも課題としている。
【課題を解決するための手段】
【０００６】
以上の課題を解決するため、請求項１に記載の発明は、
無水式ワイヤーソーと集塵装置を搭載した高所作業ステージが多段式伸縮ブームの先端に備えられる高所コンクリート構造物切断用クレーン車を用いて高所コンクリート構造物を解体する方法であって、
前記橋梁下方の地上に前記高所コンクリート構造物切断用クレーン車を配置し、
前記多段式伸縮ブームを伸ばして前記高所作業ステージを前記高所コンクリート構造物の外側に近接させて固定し、
前記高所作業ステージに搭載した前記無水式ワイヤーソーにより前記高所コンクリート構造物を水平切断及び垂直切断するとともに、その切断で発生する粉塵を、前記高所作業ステージに搭載した前記集塵装置により集塵することを特徴とする。
【０００７】
また、請求項２に記載の発明は、
無水式ワイヤーソーと集塵装置を搭載した高所作業ステージが多段式伸縮ブームの先端に備えられる壁高欄コンクリート切断用クレーン車を用いて橋梁の壁高欄コンクリートを解体する方法であって、
前記橋梁下方の地上に前記壁高欄コンクリート切断用クレーン車を配置し、
前記多段式伸縮ブームを伸ばして前記高所作業ステージを前記壁高欄コンクリートの外側に近接させて固定し、
前記高所作業ステージに搭載した前記無水式ワイヤーソーにより前記壁高欄コンクリートを床版に沿って水平切断及び垂直切断するとともに、その切断で発生する粉塵を、前記高所作業ステージに搭載した前記集塵装置により集塵することを特徴とする。
【０００８】
請求項３に記載の発明は、
請求項２に記載の壁高欄コンクリートの解体方法であって、
前記無水式ワイヤーソーにより前記床版から切断される前記壁高欄コンクリートを、前記壁高欄コンクリート切断用クレーン車とは別に前記橋梁下方の地上に配置したクレーン車により吊り上げて回収することを特徴とする。
【０００９】
請求項４に記載の発明は、
請求項２または３に記載の壁高欄コンクリートの解体方法であって、
前記高所作業ステージの周囲は防音・防塵カバーで覆われていることを特徴とする。
【発明の効果】
【００１０】
本発明によれば、車線規制を極力少なくして壁高欄コンクリートを解体することができる。
また、搭状構造物等の高所コンクリート構造物を解体することができる。
【図面の簡単な説明】
【００１１】
【図１】本発明の壁高欄コンクリートの解体方法を適用した一実施形態の構成を示す概略図である。
【図２】図１の橋梁及び高所作業ステージ部分の側面図で、壁高欄コンクリートの水平切断を示した図（ａ）と、同じく垂直切断を示した図（ｂ）である。
【図３】図１の橋梁及び高所作業ステージ部分の平面図で、壁高欄コンクリートの水平切断を示した図（ａ）と、同じく垂直切断を示した図（ｂ）である。
【発明を実施するための形態】
【００１２】
以下、図を参照して本発明を実施するための形態を詳細に説明する。
（概要）
都市高速道路の直下には一般道路があり、その一般道路の路側帯を規制して、クレーン車に一体化して備えられる高所作業ステージに無水式ワイヤーソー及び集塵装置を搭載し、壁高欄コンクリートの解体工事を行うことで、高速道路上の車線規制幅を少なくすることができる。
さらに、高所作業ステージに搭載する無水式ワイヤーソーと強力な集塵装置を使用することで、切断粉の処理が簡単にできる。
また、橋桁下面の作業足場は必要とせず、作業の効率化が図られる。
【００１３】
（実施形態）
図１から図３は本発明の壁高欄コンクリートの解体方法を適用した一実施形態の概略構成を示すもので、１は橋梁、２は床版、３は壁高欄コンクリート、４は立入防止部材、５は転倒防止部材、１１は壁高欄コンクリート切断用クレーン車、１２はアウトリガー、１３は旋回台、１４は多段式伸縮ブーム、１５は水平旋回部材、１６は高所作業ステージ、１７は防護柵、１８は防音・防塵カバー、１９はワイヤーソー専用防護ネット、２１は無水式ワイヤーソー、２２は集塵装置、３１はトラック、３２は発電機、３３は電力配線コードである。
【００１４】
図示のように、橋梁１の床版２上の両側端部に沿って壁高欄コンクリート３が設けられ、橋梁１の下方の地上には、壁高欄コンクリート切断用クレーン車１１が配置されている。
壁高欄コンクリート切断用クレーン車１１は、車体の四隅部にアウトリガー１２を備え、車体上の水平旋回動作可能な旋回台１３に多段式伸縮ブーム１４を備え、この多段式伸縮ブーム１４の先端部に水平旋回動作可能な水平旋回部材１５を備え、この水平旋回部材１５上に高所作業ステージ１６を備えている。
【００１５】
ここで、壁高欄コンクリート切断用クレーン車１１は、特許第２６７４９７５号の高所作業架台付きクレーン装置を用いたものである。
この特許第２６７４９７５号の高所作業架台付きクレーン装置は、クレーンのブーム先端部に高所作業架台を連結して備えると共に、この高所作業架台をほぼ水平姿勢に調整動作可能とする平衡装置と、高所作業架台を旋回動作可能とする旋回装置と、平衡装置の駆動による高所作業架台のほぼ水平姿勢の自動調整動作を行う自動平衡制御装置と、上方および周囲からの接触を検出するための接触検出枠と、を備え、高所作業架台の姿勢および旋回の限界状態と接触検出枠の接触状態の検出により、その限界状態および接触検出状態を報知して警告するための報知装置を備えた構成である。
その高所作業架台が、実施形態の高所作業ステージ１６に相当する。
【００１６】
以上の高所作業ステージ１６には、無水式ワイヤーソー２１と、図示例では３台並んだ強力な集塵装置２２が搭載されて、四辺部周囲に沿って防護柵１７が備えられ、さらに、全周囲を覆う防音・防塵カバー１８が設けられるとともに、ワイヤーソー専用防護ネット１９が設けられている。
【００１７】
そして、壁高欄コンクリート切断用クレーン車１１は、車体四隅部のアウトリガー１２を出して地上に水平状態に固定されている。
さらに、壁高欄コンクリート切断用クレーン車１１に隣接するようにしてトラック３１が配置され、このトラック３１には、発電機３２が搭載されている。この発電機３２から電力配線コード３３が導出され、この電力配線コード３３は、壁高欄コンクリート切断用クレーン車１１の多段式伸縮ブーム１４に沿って配線されて、高所作業ステージ１６上の無水式ワイヤーソー２１及び集塵装置２２に電気的接続されている。
なお、壁高欄コンクリート切断用クレーン車１１の近傍には、図示しない通常のクレーン車が配置されている。このクレーン車は、床版２から切断される壁高欄コンクリート３を吊り上げて回収するために用いられる。
【００１８】
橋梁１の床版２及び壁高欄コンクリート３の取り換え工事のための壁高欄コンクリート３の解体工事に際しては、図示のように、床版２上の路側帯に沿って立入防止部材４を壁高欄コンクリート３から１，５００ｍｍ程度に並べておくとともに、解体する壁高欄コンクリート３の内側に沿って転倒防止部材５を取り付けておく。
【００１９】
そして、壁高欄コンクリート切断用クレーン車１１の旋回台１３を旋回動作するとともに多段式伸縮ブーム１４を伸ばして、作業員が乗り込んだ高所作業ステージ１６を解体する壁高欄コンクリート３の外側に近接させた位置で固定状態に保持する。
その後、高所作業ステージ１６上において、作業員が無水式ワイヤーソー２１によって壁高欄コンクリート３を切断して解体する。
【００２０】
図２（ａ）及び図３（ａ）は壁高欄コンクリート３の水平切断を示したもので、図示のように、無水式ワイヤーソー２１によって壁高欄コンクリート３を床版２に沿って水平切断して解体するとともに、その切断で発生する粉塵を、３台並んだ強力な集塵装置２２により集塵する。
この時、床版２から切断される壁高欄コンクリート３は、予め地上に配置した図示しないクレーン車によりワイヤーで吊り上げ可能状態に保持しておく。
【００２１】
図２（ｂ）及び図３（ｂ）は壁高欄コンクリート３の垂直切断を示したもので、図示のように、無水式ワイヤーソー２１によって壁高欄コンクリート３を床版２に沿って垂直切断して解体するとともに、その切断で発生する粉塵を、３台並んだ強力な集塵装置により集塵する。
以上の壁高欄コンクリート３の水平切断及び垂直切断作業は、高所作業ステージ１６上において、防音・防塵カバー１８及びワイヤーソー専用防護ネット１９内で行われるため、高所作業ステージ１６の外部が防音・防塵状態に保たれる。
【００２２】
このようにして、床版２から水平切断及び垂直切断した壁高欄コンクリート３を、クレーン車により吊り上げて回収する。
【００２３】
以上、実施形態の壁高欄コンクリート３の解体方法によれば、橋梁１下方の地上に、無水式ワイヤーソー２１と集塵装置２２を搭載した高所作業ステージ１６が多段式伸縮ブーム１４の先端に備えられる壁高欄コンクリート切断用クレーン車１１を配置し、多段式伸縮ブーム１４を伸ばして高所作業ステージ１６を壁高欄コンクリート３の外側に近接させて固定し、高所作業ステージ１６に搭載した無水式ワイヤーソー２１により壁高欄コンクリート３を床版２に沿って水平切断及び垂直切断するとともに、その切断で発生する粉塵を、高所作業ステージ１６に搭載した集塵装置２２により集塵する。
従って、床版２上の路側帯には、立入防止部材４を並べて、解体する壁高欄コンクリート３の内側に沿って転倒防止部材５を設置するだけでよく、車線規制を極力少なくして壁高欄コンクリート３を解体することができる。
【００２４】
また、橋桁下面には、作業足場は必要としないため、作業の効率化を達成することができる。
【００２５】
（変形例）
以上の実施形態においては、対象を高速道路としたが、本発明はこれに限定されるものではなく、壁高欄コンクリートを備える一般道路等の橋梁であればよい。
また、実施形態では、壁高欄コンクリートの解体方法としたが、搭状構造物等の高所コンクリート構造物の解体方法も本発明に含まれる。その場合、壁高欄コンクリート切断用クレーン車と同様の高所コンクリート構造物切断用クレーン車を用いる。
さらに、高所作業ステージの具体的な細部構造等についても適宜に変更可能であることは勿論である。
【符号の説明】
【００２６】
１  橋梁
２  床版
３  壁高欄コンクリート
４  立入防止部材
５  転倒防止部材
１１  壁高欄コンクリート切断用クレーン車
１２  アウトリガー
１３  旋回台
１４  多段式伸縮ブーム
１５  水平旋回部材
１６  高所作業ステージ
１７  防護柵
１８  防音・防塵カバー
１９  ワイヤーソー専用防護ネット
２１  無水式ワイヤーソー
２２  集塵装置
３１  トラック
３２  発電機
３３  電力配線コード
【図１】
2018066227.tif 000003
【図２】
2018066227.tif 000004
【図３】
2018066227.tif 000005
【手続補正書】
【提出日】平成30年2月16日(2018.2.16)
【手続補正１】
【補正対象書類名】明細書
【補正対象項目名】０００６
【補正方法】変更
【補正の内容】
【０００６】
以上の課題を解決するため、請求項１に記載の発明は、
無水式ワイヤーソーと集塵装置を搭載した高所作業ステージが多段式伸縮ブームの先端に備えられる高所コンクリート構造物切断用クレーン車を用いて高所コンクリート構造物を解体する方法であって、
前記高所コンクリート構造物下方の地上に前記高所コンクリート構造物切断用クレーン車を配置し、
前記多段式伸縮ブームを伸ばして前記高所作業ステージを前記高所コンクリート構造物の外側に近接させて固定し、
前記高所作業ステージに搭載した前記無水式ワイヤーソーにより前記高所コンクリート構造物を水平切断及び垂直切断するとともに、その切断で発生する粉塵を、前記高所作業ステージに搭載した前記集塵装置により集塵することを特徴とする。
【手続補正２】
【補正対象書類名】特許請求の範囲
【補正対象項目名】請求項１
【補正方法】変更
【補正の内容】
【請求項１】
無水式ワイヤーソーと集塵装置を搭載した高所作業ステージが多段式伸縮ブームの先端に備えられる高所コンクリート構造物切断用クレーン車を用いて高所コンクリート構造物を解体する方法であって、
前記高所コンクリート構造物下方の地上に前記高所コンクリート構造物切断用クレーン車を配置し、
前記多段式伸縮ブームを伸ばして前記高所作業ステージを前記高所コンクリート構造物の外側に近接させて固定し、
前記高所作業ステージに搭載した前記無水式ワイヤーソーにより前記高所コンクリート構造物を水平切断及び垂直切断するとともに、その切断で発生する粉塵を、前記高所作業ステージに搭載した前記集塵装置により集塵することを特徴とする高所コンクリート構造物の解体方法。